【手続補正書】
【提出日】平成19年12月7日(2007.12.7)
【手続補正１】
【補正対象書類名】特許請求の範囲
【補正対象項目名】全文
【補正方法】変更
【補正の内容】
【特許請求の範囲】
【請求項１】
情報記録媒体にデータを記録する際の光ビームの記録パワーを決定する記録パワー決定方法であって、
複数のテスト記録パワーで前記情報記録媒体にテストデータをそれぞれ記録する工程と、
各テスト記録パワーで記録されたテストデータをそれぞれ読み出して、信号を生成し、各テスト記録パワーに対応する前記信号の変調度をそれぞれ測定する工程と、
各テスト記録パワーのｎ乗（べき指数ｎは１以外の実数）と、対応する変調度との積を、各テスト記録パワーについてそれぞれ計算することによって、前記複数のテスト記録パワーに対応する複数の積を得る工程と、
前記複数のテスト記録パワーと前記複数の積との相関関係に基づいて第１の記録パワーを計算する工程と、
前記第１の記録パワーに基づいて前記記録パワーを計算する工程と
を包含し、
前記第１の記録パワーを計算する工程は、前記複数のテスト記録パワーと前記複数の積との相関関係を示す近似直線を作成し、前記近似直線において前記積が０となる前記第１の記録パワーを計算する工程を含む、記録パワー決定方法。
【請求項２】
情報記録媒体にデータを記録する際の光ビームの記録パワーを決定する記録パワー決定方法であって、
複数のテスト記録パワーで前記情報記録媒体にテストデータをそれぞれ記録する工程と、
各テスト記録パワーで記録されたテストデータをそれぞれ読み出して、信号を生成し、各テスト記録パワーに対応する前記信号の変調度をそれぞれ測定する工程と、
各テスト記録パワーのｎ乗（べき指数ｎは１以外の実数）と、対応する変調度との積を、各テスト記録パワーについてそれぞれ計算することによって、前記複数のテスト記録パワーに対応する複数の積を得る工程と、
前記複数のテスト記録パワーと前記複数の積との相関関係に基づいて第１の記録パワーを計算する工程と、
前記第１の記録パワーに基づいて前記記録パワーを計算する工程と
を包含し、
前記記録パワー決定方法は、前記情報記録媒体に記録された値を読み出す工程をさらに包含し、
前記情報記録媒体には、前記べき指数ｎの値が記録されており、
前記情報記録媒体に記録された値を読み出す工程は、前記べき指数ｎの値を読み出す工程を含み、
前記複数の積を得る工程は、前記読み出したべき指数ｎの値を用いる工程を含む、記録パワー決定方法。
【請求項３】
情報記録媒体にデータを記録する際の光ビームの記録パワーを決定する記録パワー決定方法であって、
複数のテスト記録パワーで前記情報記録媒体にテストデータをそれぞれ記録する工程と、
各テスト記録パワーで記録されたテストデータをそれぞれ読み出して、信号を生成し、各テスト記録パワーに対応する前記信号の変調度をそれぞれ測定する工程と、
各テスト記録パワーのｎ乗（べき指数ｎは１以外の実数）と、対応する変調度との積を、各テスト記録パワーについてそれぞれ計算することによって、前記複数のテスト記録パワーに対応する複数の積を得る工程と、
前記複数のテスト記録パワーと前記複数の積との相関関係に基づいて第１の記録パワーを計算する工程と、
前記第１の記録パワーに基づいて前記記録パワーを計算する工程と
を包含し、
前記複数の積を得る工程は、前記べき指数ｎが複数の値であり、前記複数の値のそれぞれについて、前記複数のテスト記録パワーに対応する複数の積を得る工程を含み、
前記記録パワー決定方法は、
前記複数のテスト記録パワーと前記複数の積との相関関係の直線性を、複数の値のそれぞれについて計算することによって、前記複数の値に対応する複数の直線性を計算し、前記複数の値のうち直線性の最も高い値を決定する工程をさらに包含し、
前記第１の記録パワーを計算する工程は、前記複数の値のうち直線性の最も高い値についての前記複数のテスト記録パワーに対応する複数の積を用いて、前記第１の記録パワーを計算する工程を含む、記録パワー決定方法。
【請求項４】
記録部が情報記録媒体にデータを記録する際の光ビームの記録パワーを決定する記録パワー決定装置であって、
複数のテスト記録パワーに対応する複数の変調度を示す信号が入力される入力部と、
各テスト記録パワーのｎ乗（べき指数ｎは１以外の実数）と、対応する変調度との積を、各テスト記録パワーについてそれぞれ計算することによって、前記複数のテスト記録パワーに対応する複数の積を得て、前記複数のテスト記録パワーと前記複数の積との相関関係に基づいて第１の記録パワーを計算し、前記第１の記録パワーに基づいて前記記録パワーを計算する計算部と、
前記計算部によって計算された記録パワーを示す信号を前記記録部に出力する出力部と
を備え、
前記計算部は、前記複数のテスト記録パワーと前記複数の積との相関関係を示す近似直線を作成し、前記近似直線において前記積が０となる前記第１の記録パワーを計算する、記録パワー決定装置。
【請求項５】
記録部が情報記録媒体にデータを記録する際の光ビームの記録パワーを決定する記録パワー決定装置であって、
複数のテスト記録パワーに対応する複数の変調度を示す信号が入力される入力部と、
各テスト記録パワーのｎ乗（べき指数ｎは１以外の実数）と、対応する変調度との積を、各テスト記録パワーについてそれぞれ計算することによって、前記複数のテスト記録パワーに対応する複数の積を得て、前記複数のテスト記録パワーと前記複数の積との相関関係に基づいて第１の記録パワーを計算し、前記第１の記録パワーに基づいて前記記録パワーを計算する計算部と、
前記計算部によって計算された記録パワーを示す信号を前記記録部に出力する出力部と
を備え、
前記入力部には、前記べき指数ｎの値を示す信号が入力され、
前記計算部は、前記べき指数ｎの値を用いる、記録パワー決定装置。
【請求項６】
記録部が情報記録媒体にデータを記録する際の光ビームの記録パワーを決定する記録パワー決定装置であって、
複数のテスト記録パワーに対応する複数の変調度を示す信号が入力される入力部と、
各テスト記録パワーのｎ乗（べき指数ｎは１以外の実数）と、対応する変調度との積を、各テスト記録パワーについてそれぞれ計算することによって、前記複数のテスト記録パワーに対応する複数の積を得て、前記複数のテスト記録パワーと前記複数の積との相関関係に基づいて第１の記録パワーを計算し、前記第１の記録パワーに基づいて前記記録パワーを計算する計算部と、
前記計算部によって計算された記録パワーを示す信号を前記記録部に出力する出力部と
を備え、
前記計算部は、前記べき指数ｎが複数の値であり、前記複数の値のそれぞれについて、前記複数のテスト記録パワーに対応する複数の積を得て、前記複数のテスト記録パワーと前記複数の積との相関関係の直線性を、複数の値のそれぞれについて計算することによって、前記複数の値に対応する複数の直線性を計算し、前記複数の値のうち直線性の最も高い値を決定し、前記複数の直線性のうち最も高い直線性に対応する値についての前記複数のテスト記録パワーに対応する複数の積を用いて、前記第１の記録パワーを計算する、記録パワー決定装置。
【請求項７】
光ビームを用いて情報記録媒体にデータを記録する記録部と、
前記情報記録媒体に記録されたデータを読み出す読み出し部と、
前記記録部が前記情報記録媒体にデータを記録する際の前記光ビームの記録パワーを決定する記録パワー決定装置と
を備える、情報記録装置であって、
前記記録部は、複数のテスト記録パワーで前記情報記録媒体にテストデータを記録し、
前記読み出し部は、各テスト記録パワーで前記情報記録媒体に記録されたテストデータをそれぞれ読み出して、信号を生成し、各テスト記録パワーに対応する前記信号の変調度をそれぞれ測定し、
前記記録パワー決定装置は、各テスト記録パワーのｎ乗（べき指数ｎは１以外の実数）と、対応する変調度との積を、各テスト記録パワーについてそれぞれ計算することによって、前記複数のテスト記録パワーに対応する複数の積を得て、前記複数のテスト記録パワーと前記複数の積との相関関係に基づいて第１の記録パワーを計算し、前記第１の記録パワーに基づいて前記記録パワーを計算し、
前記記録パワー決定装置は、直線性の最も高い値を記憶するメモリを含む、情報記録装置。
【請求項８】
複数のテスト記録パワーのうちの各テスト記録パワーのｎ乗（べき指数ｎは１以外の実数）と、対応する変調度との積を、各テスト記録パワーについてそれぞれ計算することによって、前記複数のテスト記録パワーに対応する複数の積を得て、前記複数のテスト記録パワーと前記複数のテスト記録パワーに対応する複数の積とに基づいて、前記複数のテスト記録パワーと前記複数の積との相関関係の直線性を、べき指数ｎの複数の値について得て、前記複数の直線性のうち最も高い直線性に対応するべき指数ｎの値を格納するための領域を有する、情報記録媒体。
【請求項９】
請求項８に記載の情報記録媒体から、前記べき指数ｎを読み出す指示を行い、前記読み出されたべき指数ｎに基づいて、前記情報記録媒体への記録パワーを決定する記録パワー決定装置、又は、前記記録パワー決定装置を備え、前記記録パワー決定装置によって決定された記録パワーによって、前記情報記録媒体への記録を行う情報記録装置。
【請求項１０】
請求項１、２および３のいずれかに記載の記録パワー決定方法を実行するためのプログラム、又は、前記プログラムを実行し、前記実行されたプログラムによって決定された記録パワーによって、前記情報記録媒体への記録を行う情報記録装置。
【請求項１１】
請求項４、５および６のいずれかに記載の記録パワー決定装置を備え、前記記録パワー決定装置によって決定された記録パワーによって、前記情報記録媒体への記録を行う情報記録装置。